(57)【要約】  【課題】  施工設置後の設定および変更の作業が容易になり、メンテナンス性を向上できる共同玄関子機装置を提供する。  【解決手段】  機器本体ユニット１の前面には、開閉可能に工事設定用パネル１６が設けられている。工事設定スイッチ基板１７は、工事設定用スイッチ１７１を備えており、工事設定用パネル１６が開かれたときに露出するように機器本体ユニット１に設けられている。機器本体ユニット１を壁面４から取り外さなくても、機器本体ユニット１の前面側から工事設定作業を行うことができる。【選択図】  図１
2005341437.tif 000002
【特許請求の範囲】
【請求項１】
機器本体と、
前記機器本体の前面に開閉可能に設けられた設定用パネルと、
前記設定用パネルが開かれたときに露出するように前記機器本体に設けられ、設定用のスイッチが備えられた設定スイッチ基板と、
を備えたことを特徴とする共同玄関子機装置。
【請求項２】
信号線と電源用コードの各々を接続するための複数の接続端子を備えた端子ユニットと、設置箇所に取り付けられるように構成された下ケースユニットとを備え、前記下ケースユニットに前記機器本体および前記端子ユニットが取り付けられており、前記端子ユニットが前記下ケースユニットを介して前記機器本体に電気的に接続されていることを特徴とする請求項１に記載の共同玄関子機装置。
【請求項３】
前記設定用パネルを閉じた状態に保持する係止機構を有し、前記係止機構は、前記設定用パネルの縁部に設けられており、前記機器本体と前記設定用パネルとの間に工具挿入用の隙間を備えたことを特徴とする請求項１または２に記載の共同玄関子機装置。
【請求項４】
前記機器本体および前記設定用パネルの一方に設けられたパネル開閉方向のガイド溝と、前記機器本体および前記設定用パネルの他方に設けられ、前記ガイド溝に挿入されたガイド片とを備えたことを特徴とする請求項１ないし３のいずれかに記載の共同玄関子機装置。
【請求項５】
前記設定用パネルが開かれたときに露出する場所には、さらに、カメラ角度調整機構の操作部材が設けられていることを特徴とする請求項１ないし４のいずれかに記載の共同玄関子機装置。
【発明の詳細な説明】
【技術分野】
【０００１】
本発明は、マンションのエントランスなどに設置される共同玄関子機装置に関し、特に、施工後に設定を変更するための構成に関する。
【背景技術】
【０００２】
従来、マンションには、共同玄関子機装置が備えられている。共同玄関子機装置は、エントランスの壁に設置されており、典型的には、オートロックの解除機能およびインターフォン機能を備えている。
【０００３】
従来の一般的な共同玄関子機装置は、機器本体ユニットと、本体取付枠と、端子ボックスで構成されている。共同玄関子機装置の設置工事では、端子ボックスに対して信号線と電源コードが結線され、それから、機器本体ユニットと端子ボックスが、コネクタで電気的に接続される。そして、機器本体ユニットが本体取付枠へと取り付けられる（例えば特許文献１参照）。
【０００４】
また、この種の共同玄関子機装置では、壁に設置された後に、メンテナンス作業で機器の設定が変更されることがある。この場合、機器本体ユニットが本体取付枠から取り外される。そして、本体裏面の設定パネルのねじがドライバーで取り外される。そして、機器内部の設定基板の設定スイッチが操作される。このとき、作業者は、機器本体ユニットを手で持って、上記の作業を行う。
【０００５】
図５は、従来の共同玄関子機装置の一例を示している。機器本体ユニット１００は、壁１０２に取り付けられている。機器本体ユニット１００の中には基板１０４が備えられており、基板１０４に設定スイッチ１０６が設けられている。機器本体ユニット１００の本体裏面には、設定スイッチ１０６に対応する場所に開口１０８が設けられている。そして、開口１０８は、設定パネル１１０で覆われており、設定パネル１１０は２本のねじ１１２で固定されている。
【０００６】
施工後の工事設定作業では、作業者は、機器本体ユニット１００を壁１０２から取り外し、裏返して、片手で持つ。そして、作業者は、２本のねじ１１２の一方をドライバーで取り外し、設定パネル１１０を回し、設定パネル１１０の下の設定スイッチ１０６を操作する。
【特許文献１】特開平５−１７４２７７号公報（第３ページ、図１）
【発明の開示】
【発明が解決しようとする課題】
【０００７】
しかしながら、従来の共同玄関子機装置では、施工後の設定作業において、重い機器本体を片手で持って、ねじを取り外したり、スイッチを操作する必要があり、作業が容易でないという問題があった。
【０００８】
本発明は、上記課題を解決するためになされたものであり、その目的は、施工設置後の設定作業を容易にでき、メンテナンス性を向上できる共同玄関子機装置を提供することにある。
【課題を解決するための手段】
【０００９】
本発明の共同玄関子機装置は、機器本体と、前記機器本体の前面に開閉可能に設けられた設定用パネルと、前記設定用パネルが開かれたときに露出するように前記機器本体に設けられ、設定用のスイッチが備えられた設定スイッチ基板とを備えている。
【００１０】
この構成により、機器本体の前面に設定用パネルを開閉可能に設けたので、機器本体を取り外さなくても、機器本体の前面側から設定作業を行うことが可能であり、これにより、施工設置後の設定作業が容易になり、メンテナンス性が向上する。
【００１１】
また、本発明の共同玄関子機装置は、信号線と電源用コードの各々を接続するための複数の接続端子を備えた端子ユニットと、設置箇所に取り付けられるように構成された下ケースユニットとを備え、前記下ケースユニットに前記機器本体および前記端子ユニットが取り付けられており、前記端子ユニットが前記下ケースユニットを介して前記機器本体に電気的に接続されている。この構成により、設定用パネルの内側のスイッチ基板が下ケースに接続され、設定用パネルを好適に機器本体の前面側に設けることができる。
【００１２】
また、本発明の共同玄関子機装置は、前記設定用パネルを閉じた状態に保持する係止機構を有し、前記係止機構は、前記設定用パネルの縁部に設けられており、前記機器本体と前記設定用パネルの縁部との間に工具挿入用の隙間を備えている。この構成により、設定用パネルが、作業員以外の一般人には容易に開閉できなくなり、誤った操作を防止できる。
【００１３】
また、本発明の共同玄関子機装置は、前記機器本体および前記設定用パネルの一方に設けられたパネル開閉方向のガイド溝と、前記機器本体および前記設定用パネルの他方に設けられ、前記ガイド溝に挿入されたガイド片とを備えている。この構成により、設定用パネルを開く作業が容易になり、メンテナンス性がさらに向上する。
【００１４】
また、本発明の共同玄関子機装置では、前記設定用パネルが開かれたときに露出する場所に、さらに、カメラ角度調整機構の操作部材が設けられている。この構成により、カメラの角度調整も容易になる。
【発明の効果】
【００１５】
本発明は、機器本体の前面に設定用パネルを開閉可能に設け、設定用パネルを開いたときに露出するように設定用スイッチを設けたので、機器本体を取り外さなくても、機器本体の前面側から設定作業を行うことが可能であり、これにより、施工設置後の設定および変更の作業が容易になり、メンテナンス性が向上するという効果を有する共同玄関子機装置を提供することができる。
【発明を実施するための最良の形態】
【００１６】
以下、本発明の実施の形態の共同玄関子機装置について、図面を用いて説明する。
【００１７】
本発明の実施の形態の共同玄関子機装置を図１に示す。図１は分解斜視図である。図１において、共同玄関子機装置は、機器本体ユニット１、端子ユニット２および下ケースユニット３で構成されている。下ケースユニット３が壁面４に取り付けられており、そして、機器本体ユニット１および端子ユニット２が下ケースユニット３に取り付けられている。
【００１８】
下ケースユニット３は、直方体の箱形の形状を有しており、箱の入口の縁に沿ってフランジ部３１が設けられている。フランジ部３１には６つの壁取付穴３２が設けられている。箱形部分が、壁面４の凹部に収容されており、フランジ部３１が壁面４に合わさっている。そして、６カ所の壁取付穴３２にて、取付ねじ３３を用いて下ケースユニット３が壁面４に固定されている。
【００１９】
端子ユニット２は、端子基板を上端子ケースおよび下端子ケースで挟んだ構成を有している。端子ユニット２は、図１の状態から９０度回転させた直立状態で、下ケースユニット３の箱の底部に設けられた端子ユニット取付部３４に取り付けられている。端子ユニット取付部３４では、端子ユニット２の上端が下ケースユニット３に係合しており、端子ユニット２の下端が下ケースユニット３にねじ止めされている。
【００２０】
端子ユニット２は、通信線用端子２１および電源線用端子２２を備えている。通信線用端子２１には、通信線２３が接続されており、電源線用端子２２には、電源線２４が接続されている。通信線２３および電源線２４は、壁面４の凹部から延びてきて、下ケースユニット３の端子ユニット取付部３４の開口を通り、端子ユニット２に接続されている。
【００２１】
端子ユニット２は、さらに、通信線コネクタ２５および電源線コネクタ２６を備えている。通信線コネクタ２５および電源線コネクタ２６は、それぞれ、下ケースユニット３の雌型の通信線コネクタ３５および電源線コネクタ３６に連結されている。
【００２２】
機器本体ユニット１は、下ケースユニット３のフランジ部３１の外形とほぼ同じ長方形の形状を有している。そして、機器本体ユニット１は、フランジ部３１の縁部の６カ所に設けられた引掛け部３６に引っ掛けられており、これにより、機器本体ユニット１が下ケースユニット３に取り付けられている。そして、機器本体ユニット１は、蓋のように下ケースユニット３を覆っている。
【００２３】
機器本体ユニット１は、裏面に雌型の通信線コネクタ（図示せず）を備えており、この通信線コネクタが、下ケースユニット３に設けられた通信線コネクタ３７と連結されている。
【００２４】
また、機器本体ユニット１は、前面パネル１１を備えている。前面パネル１１の中央には、ボタン１２が配置されている。ボタン１２は、部屋番号等を入力するために設けられている。ボタン１２の両側にはスピーカ１３が配置されている。また、前面パネル１１の上方には、表示部１４とカメラユニット１５が設けられている。表示部１４は、部屋番号等を表示する。カメラユニット１５は、操作者を撮影する。
【００２５】
ボタン１２とカメラユニット１５の間には、工事設定用パネル１６が設けられている。工事設定用パネル１６は、横長の長方形であり、開閉可能に設けられている。
【００２６】
図２は、工事設定用パネル１６が開いた状態を示している。図示のように、機器本体ユニット１には、工事設定用パネル１６が開かれたときに露出するように、工事設定スイッチ基板１７が設けられている。そして、工事設定スイッチ基板１７には工事設定用スイッチ１７１が設けられており、工事設定用スイッチ１７１も工事設定用パネル１６が開いたときに露出する。工事設定用スイッチ１７１は、工事設定の際に作業者により操作されるスイッチである。
【００２７】
また、工事設定用パネル１６が開かれたときに露出する場所には、さらに、カメラ角度調整レバー１７２が設けられている。すなわち、カメラ角度調整レバー１７２は、工事設定用パネル１６が取り付けられる開口の中に、工事設定スイッチ基板１７と共に配置されている。カメラ角度調整レバー１７２は、カメラ角度調整機構の操作部材であり、機器本体ユニット１の内部でカメラユニット１５と連結されている。カメラ角度調整機構は、カメラ角度調整レバー１７２を上下左右に動かすことでカメラの角度が上下左右に変わるように構成されている。
【００２８】
機器本体ユニット１は、さらに、工事設定用パネル１６の係止機構１８およびガイド機構１９を備えている。係止機構１８およびガイド機構は、工事設定用パネル１６の縁部に設けられている。
【００２９】
係止機構１８は、工事設定用パネル１６の上下左右の４隅に設けられた爪部で構成されている。爪部が機器本体ユニット１に係合することにより、工事設定用パネル１６が機器本体ユニット１に係止される。工事設定用パネル１６の下部の左右の縁部には、工具挿入部が設けられている。そして、係止機構１８は、工具挿入部から挿入された薄型で棒状の工具によって係止が解除されるように構成されている。工具は例えばマイナスドライバーである。
【００３０】
図３は、機器本体ユニット１の断面図であり、係止機構１８の構成を示している。工事設定用パネル１６は、機器本体ユニット１の開口に設けられている。図３（ａ）に示すように、工事設定用パネル１６の上端には上爪部１８１が設けられており、下端には下爪部１８２が設けられている。上爪部１８１および下爪部１８２は、それぞれ、機器本体ユニット１の上係合部１８３および下係合部１８４と係合しており、工事設定用パネル１６が前方に移動するのを阻止し、これにより工事設定用パネル１６が開くのを阻止している。
【００３１】
工事設定用パネル１６の下端には工具挿入部１８５が設けられている。工具挿入部１８５は、工事設定用パネル１６と機器本体ユニット１の間の隙間である。そして、工具挿入部１８は、マイナスドライバー等の薄い棒状の工具１８６が入る程度の細い隙間である。工具挿入部１８５から工具１８６が挿入されると、工具１８６によって係止が解除される。
【００３２】
より詳細には、図３（ｂ）に示されるように、工具１８６が工具挿入部１８５に挿入され、先端が上向きに回される。工具１８６を回すとき、工具挿入部１８６の入口の下縁部が支点になる。工具１８６が回されると、下爪部１８２が弾性変形し、上側に撓み、これにより下爪部１８２が外れ、係合が解除される。そして、図示のように、下端が持ち上がるように工事設定用パネル１６が回り、これに伴い、上爪部１８１が下がり、上係合部１８３から外れ、上爪部１８１の係合が解除される。このようにして、上爪部１８１および下爪部１８２の係合が解除され、係止機構１８の係止が解除される。
【００３３】
図４は、機器本体ユニット１の断面図であり、ガイド機構１９の構成を示している。ガイド機構１９は、機器本体ユニット１に設けられたガイド溝１９１と、工事設定用パネル１６に設けられた軸１９２とで構成されている。軸１９２は、ガイド溝１９１に挿入されるガイド片である。
【００３４】
工事設定用パネル１６の左右の端部には、図示のように、略三角形の側板１９３が設けられている。側板１９３は、工事設定用パネル１６に直角に、機器本体ユニット１の内部に向けて設けられている。そして、軸１９２は、側板１９３から両側に、すなわち、機器本体ユニット１の横方向の両側に突き出すように設けられている。
【００３５】
ガイド溝１９１は、機器本体ユニット１の部品である２つの部材１９４、１９５で構成されている。部材１９４（２点鎖線）は、図４において工事設定用パネル１６の側板１９３の手前側にあり、ガイド溝１９１の上側のガイド面１９６を規定している。部材１９５は、工事設定用パネル１６の側板１９３の奥側にあり、ガイド溝１９１の下側のガイド面１９７を規定している。そして、ガイド面１９６、１９７によりガイド溝１９１が構成されている。工事設定用パネル１６が開閉するときは、側板１９３の手前側では、軸１９２が上側のガイド面１９６にガイドされ、側板１９３の奥側では、軸１９２が下側のガイド面１９７にガイドされ、これにより、軸１９２がガイド溝１９１にガイドされ、ガイド溝１９１に沿ってスライドする。
【００３６】
ガイド溝１９１は、図示のように、前側が下がるように斜めに設けられている。したがって、図４（ｂ）に示されるように、工事設定用パネル１６は、開くときに下方へ案内され、これにより、工事設定用パネル１６の内部が露出する。工事設定用パネル１６は、軸１９２がガイド溝１９１の端部に達する位置まで動き、この位置で工事設定用パネル１６が保持される。したがって、工事設定用パネル１６の脱落も防止されている。
【００３７】
次に、以上に説明した共同玄関子機装置１０について、組立順序の一例を説明する。下ケースユニット３は、壁面４に取付ねじ３３で固定される。取付ねじ３３は、下ケースユニット３の６カ所の壁取付穴３２に通され、壁面４に締め付けられる。
【００３８】
端子ユニット２の通信線用端子２１に通信線２６が結線され、電源線用端子２２に電源線２４が結線される。結線後、端子ユニット２が下ケースユニット３の端子ユニット取付部３４に取り付けられる。このとき、端子ユニット２の上端が下ケースユニット３に係合した状態で、端子ユニット２の下端がねじで下ケースユニット３に締め付けられる。
【００３９】
次に、端子ユニット２の通信線コネクタ２５および電源線コネクタ２６が、下ケースユニット３の雌型の通信線コネクタ３５および電源線コネクタ３６に接続される。さらに、下ケースユニット３の通信線コネクタ３７が、機器本体ユニット１の雌型の通信線コネクタに接続される。そして、機器本体ユニット１が、下ケースユニット３の引掛け部３６に引っ掛けられ、これにより下ケースユニット３に固定される。機器本体ユニット１には、予め、工事設定用スイッチ基板１７および工事設定用パネル１６が組み付けられている。
【００４０】
次に、工事設定作業およびカメラ角度調整作業における共同玄関子機装置１０の動作を説明する。作業は、機器本体ユニット１が下ケースユニット３に取り付けられたままの状態で、機器本体ユニット１の前面を使って行われる。作業時は、工具１８６が、機器本体ユニット１の前面の工具挿入部１８５に挿入される。工具挿入部１８５は、工事設定用パネル１６の下端の両側隅に設けられている。工具１８６は工具挿入部１８５に挿入され、先端が上方に動くように回される。これにより、図３を用いて説明したように、係止機構１８の下爪部１８２および上爪部１８１の係合が解除され、工事設定用パネル１６の係止が解除される。この作業は、工事設定用パネル１６の左右にある両方の係止機構１８に対して行われる。
【００４１】
工事設定用パネル１６の係止が解除されると、工事設定用パネル１６はガイド機構１９に導かれて開く。図４を用いて説明したように、ガイド機構１９のガイド溝１９１に沿って、軸１９２が移動する。工事設定用パネル１６は、斜め下方に移動し、したがって、機器本体ユニット１の手前側で、パネル用開口の下に移動する。これにより、工事設定用パネル１６の内側の工事設定スイッチ基板１７およびカメラ角度調整レバー１７２が露出する。工事設定用パネル１６は、軸１９２がガイド溝１９１の端部に達したときの位置で止まり、脱落することなく保持される。
【００４２】
工事設定用パネル１６が開き、工事設定スイッチ基板１７が露出すると、工事設定用スイッチ１７１が作業者により操作され、工事設定が行われる。また、カメラ角度調整レバー１７２が操作されて、カメラの向きが調整される。
【００４３】
作業が終わると、工事設定用パネル１６が、持ち上げらるようにして、上方に動かされる。工事設定用パネル１６は、ガイド機構１９に導かれて、機器本体ユニット１の開口に向かって進む。そして、工事設定用パネル１６が機器本体ユニット１に押しつけられると、工事設定用パネル１６の上爪部１８１および下爪部１８２が、機器本体ユニット１の上係合部１８３および下係合部１８４と係合する。このとき、爪部は必要に応じて弾性変形して撓み、係合部の裏に回り込む。
【００４４】
このようにして、係止機構１８が機能して、工事設定用パネル１６は再び係止される。工事設定用パネル１６の周囲には、工具挿入用の細い隙間しか露出していない。したがって、作業者以外の第三者が誤って工事設定用パネル１６を開くのを防止できる。
【００４５】
以上に説明したように、本実施の形態の共同玄関子機装置によれば、機器本体ユニット１の前面に工事設定用パネル１６を開閉可能に設けたので、機器本体ユニット１を取り外さなくても、機器本体ユニット１の前面側から設定作業を行うことが可能であり、これにより、施工設置後の設定作業が容易になり、メンテナンス性が向上する。
【００４６】
また、本実施の形態の共同玄関子機装置によれば、機器本体ユニット１および端子ユニット２が下ケースユニット３に取り付けられており、工事設定用パネル１６の内側のスイッチ基板１７が下ケースユニット３に接続されており、工事設定用パネル１６を好適に機器本体の前面側に設けることができる。
【００４７】
また、本実施の形態の共同玄関子機装置によれば、上述のように、係止機構１８が工事設定用パネル１６の縁部に設けられている。そして、機器本体ユニット１と工事設定用パネル１６の縁部との間に工具挿入用の隙間が設けられている。係止機構は、この隙間から薄型で棒状の工具１８６が挿入されて係止が解除されるように構成されている。したがって、工事設定用パネル１６が作業員以外の一般人には容易に開閉できなくなり、誤った操作を防止できる。
【００４８】
また、本実施の形態の共同玄関子機装置によれば、機器本体ユニット１にパネル開閉方向のガイド溝１９１が設けられ、工事設定用パネル１６にガイド片である軸１９２が設けられており、これにより、工事設定用パネル１６を開く作業が容易になり、メンテナンス性がさらに向上する。なお、ガイド溝が工事設定用パネル１６に設けられ、ガイド片が機器本体ユニット１に設けられてもよい。
【００４９】
また、本実施の形態の共同玄関子機装置によれば、工事設定用パネル１６が開かれたときに露出する場所に、さらに、カメラ角度調整機構の操作部材が設けられており、カメラの角度調整も容易になる。
【００５０】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５１】
以上のように本発明に係る共同玄関子機装置は、施工設置後の設定および変更の作業が容易になり、メンテナンス性が向上するという効果を有し、マンションのエントランス等に設置される共同玄関子機装置として有用である。
【図面の簡単な説明】
【００５２】
【図１】本発明の実施の形態における共同玄関子機装置の分解斜視図
【図２】機器本体ユニットの斜視図
【図３】（ａ）係止状態における係止機構を示す機器本体ユニットの断面図  （ｂ）解除状態における係止機構を示す機器本体ユニットの断面図
【図４】（ａ）工事設定用パネルが閉じているときのガイド機構を示す機器本体ユニットの断面図  （ｂ）工事設定用パネルが開いているときのガイド機構を示す機器本体ユニットの断面図
【図５】（ａ）従来の共同玄関子機装置を示す断面図  （ｂ）従来の共同玄関子機装置の裏面を示す図
【符号の説明】
【００５３】
１  機器本体ユニット
２  端子ユニット
３  下ケースユニット
４  壁面
１１  前面パネル
１２  ボタン
１３  スピーカ
１４  表示部
１５  カメラユニット
１６  工事設定用パネル
１７  工事設定スイッチ基板
１８  係止機構
１９  ガイド機構
１７１  工事設定用スイッチ
１７２  カメラ角度調整レバー
１８１  上爪部
１８２  下爪部
１８５  工具挿入部
１９１  ガイド溝
１９２  軸
【図１】
2005341437.tif 000003
【図２】
2005341437.tif 000004
【図３】
2005341437.tif 000005
【図４】
2005341437.tif 000006
【図５】
2005341437.tif 000007